(57)【特許請求の範囲】
【請求項１】
着用者からの排泄物を受ける吸収性物品であって、
透液性のトップシートと、
前記トップシートよりも幅方向の幅が大きい撥液性または不透液性のバックシートと、
前記トップシートと前記バックシートとの間に配置される吸収体と、
前記トップシートの幅方向の両側に配置される一対のサイドシートと、
を備え、
前記一対のサイドシートのそれぞれにおいて、
幅方向の内側の側部である内側部が、前記トップシートの側部の上面に融着により固定され、
幅方向の外側の側部である外側部が、前記トップシートの両側縁から幅方向の外側に延出する前記バックシートの側部の上面に固定され、
前記一対のサイドシートのそれぞれと前記トップシートとの融着部が、
長手方向の前方部に位置する前方融着部と、
長手方向の後方部に位置する後方融着部と、
長手方向において前記前方融着部と前記後方融着部との間に位置し、幅方向において前記前方融着部および前記後方融着部よりも外側に位置する中間融着部と、
を備え、
前記中間融着部が、それぞれが幅方向に広がるとともに長手方向に配列される複数の融着要素を含み、
前記トップシートが、
幅方向に配列されるとともにそれぞれが長手方向に延びる帯状領域である複数の高剥離強度領域と、
前記複数の高剥離強度領域と交互に幅方向に配列されるとともにそれぞれが長手方向に延びる帯状領域であり、前記中間融着部における前記一対のサイドシートとの単位面積あたりの剥離強度が前記複数の高剥離強度領域よりも低い複数の低剥離強度領域と、
を備え、
前記高剥離強度領域が、前記低剥離強度領域よりも密度が高い領域であり、
前記中間融着部が、幅方向に隣接する２つの高剥離強度領域に重なることを特徴とする吸収性物品。
【請求項２】
請求項１に記載の吸収性物品であって、
前記中間融着部が、幅方向に隣接する前記２つの高剥離強度領域のそれぞれの幅方向中央と重なることを特徴とする吸収性物品。
【請求項３】
請求項１または２に記載の吸収性物品であって、
前記高剥離強度領域が、前記トップシートの上面において上方に突出する凸部に含まれることを特徴とする吸収性物品。
【請求項４】
請求項３に記載の吸収性物品であって、
前記凸部が、
幅方向中央に位置する凸部中央部と、
前記凸部中央部の幅方向両側に位置するとともに前記凸部中央部よりも密度が高い２つの凸部高密度部と、
を備え、
前記高剥離強度領域が、前記凸部高密度部であることを特徴とする吸収性物品。
【請求項５】
請求項１ないし４のいずれかに記載の吸収性物品であって、
前記複数の融着要素において、長手方向に隣接する２つの融着要素の長手方向の端部同士が幅方向に重なることを特徴とする吸収性物品。
【請求項６】
請求項１ないし５のいずれかに記載の吸収性物品であって、
前記一対のサイドシートのそれぞれの前記内側部は、目付が２０ｇ／ｍ２以上のエアスルー不織布が前記内側部の幅方向の内縁にて二つ折りにされた積層構造を有することを特徴とする吸収性物品。
【請求項７】
請求項６に記載の吸収性物品であって、
前記内側部の前記内縁と前記中間融着部との間の部位において、前記積層構造の前記エアスルー不織布の２つの層が非接合であることを特徴とする吸収性物品。
【請求項８】
請求項１ないし７のいずれかに記載の吸収性物品であって、
前記一対のサイドシートと重なる領域において、長手方向に延びる弾性部材が非存在であることを特徴とする吸収性物品。
【発明の詳細な説明】
【技術分野】
【０００１】
本発明は、着用者からの排泄物を受ける吸収性物品に関する。
【背景技術】
【０００２】
従来、下着等の内側に取り付けられる軽失禁用の吸収パッドや生理用ナプキン等の吸収性物品が使用されている。例えば、特許文献１では、表面シートと、裏面シートと、吸収体と、２つのサイドシートとを備える吸収性物品が開示されている。当該吸収性物品では、２つのサイドシートは、吸収体の両側に配置されて表面シートの両側部を覆う。サイドシートと表面シートとはエンボス部により接合される。表面シートは、一方の主面に複数の溝部および複数の凸状部が並列的に形成された不織布である。また、特許文献２には、縦方向に沿って配置される複数の溝部と、複数の溝部に隣接する複数の凸状部とを備える不織布が開示されている。
【先行技術文献】
【特許文献】
【０００３】
【特許文献１】特開２００８−２８９５３５号公報
【特許文献２】特開２００８−２５０７９号公報
【発明の概要】
【発明が解決しようとする課題】
【０００４】
ところで、特許文献１のサイドシートを表面シートに接合する際に、エンボス部と表面シートの溝部との重複面積が大きいと、サイドシートと表面シートとの剥離強度が低くなり、着用者の動き等によりサイドシートが表面シートから剥離するおそれがある。
【０００５】
本発明は、上記課題に鑑みなされたものであり、サイドシートとトップシートとの剥離を抑制することを目的としている。
【課題を解決するための手段】
【０００６】
請求項１に記載の発明は、着用者からの排泄物を受ける吸収性物品であって、透液性のトップシートと、前記トップシートよりも幅方向の幅が大きい撥液性または不透液性のバックシートと、前記トップシートと前記バックシートとの間に配置される吸収体と、前記トップシートの幅方向の両側に配置される一対のサイドシートとを備え、前記一対のサイドシートのそれぞれにおいて、幅方向の内側の側部である内側部が、前記トップシートの側部の上面に融着により固定され、幅方向の外側の側部である外側部が、前記トップシートの両側縁から幅方向の外側に延出する前記バックシートの側部の上面に固定され、前記一対のサイドシートのそれぞれと前記トップシートとの融着部が、長手方向の前方部に位置する前方融着部と、長手方向の後方部に位置する後方融着部と、長手方向において前記前方融着部と前記後方融着部との間に位置し、幅方向において前記前方融着部および前記後方融着部よりも外側に位置する中間融着部とを備え、前記中間融着部が、それぞれが幅方向に広がるとともに長手方向に配列される複数の融着要素を含み、前記トップシートが、幅方向に配列されるとともにそれぞれが長手方向に延びる帯状領域である複数の高剥離強度領域と、前記複数の高剥離強度領域と交互に幅方向に配列されるとともにそれぞれが長手方向に延びる帯状領域であり、前記中間融着部における前記一対のサイドシートとの単位面積あたりの剥離強度が前記複数の高剥離強度領域よりも低い複数の低剥離強度領域とを備え、前記高剥離強度領域が、前記低剥離強度領域よりも密度が高い領域であり、前記中間融着部が、幅方向に隣接する２つの高剥離強度領域に重なる。
【０００７】
請求項２に記載の発明は、請求項１に記載の吸収性物品であって、前記中間融着部が、幅方向に隣接する前記２つの高剥離強度領域のそれぞれの幅方向中央と重なる。
【０００９】
請求項３に記載の発明は、請求項１または２に記載の吸収性物品であって、前記高剥離強度領域が、前記トップシートの上面において上方に突出する凸部に含まれる。
【００１０】
請求項４に記載の発明は、請求項３に記載の吸収性物品であって、前記凸部が、幅方向中央に位置する凸部中央部と、前記凸部中央部の幅方向両側に位置するとともに前記凸部中央部よりも密度が高い２つの凸部高密度部とを備え、前記高剥離強度領域が、前記凸部高密度部である。
【００１１】
請求項５に記載の発明は、請求項１ないし４のいずれかに記載の吸収性物品であって、前記複数の融着要素において、長手方向に隣接する２つの融着要素の長手方向の端部同士が幅方向に重なる。
【００１２】
請求項６に記載の発明は、請求項１ないし５のいずれかに記載の吸収性物品であって、前記一対のサイドシートのそれぞれの前記内側部は、目付が２０ｇ／ｍ２以上のエアスルー不織布が前記内側部の幅方向の内縁にて二つ折りにされた積層構造を有する。
【００１３】
請求項７に記載の発明は、請求項６に記載の吸収性物品であって、前記内側部の前記内縁と前記中間融着部との間の部位において、前記積層構造の前記エアスルー不織布の２つの層が非接合である。
【００１４】
請求項８に記載の発明は、請求項１ないし７のいずれかに記載の吸収性物品であって、前記一対のサイドシートと重なる領域において、長手方向に延びる弾性部材が非存在である。
【発明の効果】
【００１５】
本発明では、サイドシートとトップシートとの剥離を抑制することができる。
【図面の簡単な説明】
【００１６】
【図１】一の実施の形態に係る吸収性物品の平面図である。
【図２】吸収性物品の断面図である。
【図３】トップシートとサイドシートとの中間融着部の平面図である。
【図４】トップシートとサイドシートとの中間融着部の断面図である。
【図５】他の好ましいトップシートとサイドシートとの中間融着部の平面図である。
【図６】トップシートとサイドシートとの中間融着部の断面図である。
【発明を実施するための形態】
【００１７】
図１は、本発明の一の実施の形態に係る吸収性物品１の平面図である。図２は、吸収性物品１を図１中のＩＩ−ＩＩの位置にて長手方向（すなわち、図１中における上下方向）に垂直な面で切断した断面図である。図１および図２では、吸収性物品１の個別包装に使用される包装シート５１も併せて示す。図２では、吸収性物品１の上下方向の大きさ（すなわち、厚さ）を実際よりも大きく描いている。また、図２では、図の理解を容易にするために、実際には接触している吸収性物品１の構成の一部を、上下方向に離間させて描いている。
【００１８】
吸収性物品１は、着用者からの尿等の液状の排泄物を受ける。吸収性物品１は、例えば、着用者が着用する外装物品（例えば、使い捨ておむつまたは下着）の内側に取り付けられて使用される軽失禁用の吸収パッドである。吸収性物品１は、外装物品の内側に取り付けられて使用される生理用ナプキン等であってもよい。図１では、着用者側の面（以下、「上面」という。）を手前側にして吸収性物品１を描いている。図１に示す例では、吸収性物品１の平面視における形状は、長手方向の長さが幅方向の幅よりも大きい略長円状である。以下の説明では、吸収性物品１の各部位の長手方向の長さを単に「長さ」ともいい、幅方向の幅を単に「幅」ともいう。
【００１９】
図１および図２に示すように、吸収性物品１は、透液性のトップシート２１と、撥液性または不透液性のバックシート２３と、吸収体２２と、一対のサイドシート２４とを備える。吸収性物品１のバックシート２３には、包装シート５１が、粘着材等により着脱可能に取り付けられている。包装シート５１の幅は、吸収性物品１の幅よりも大きい。包装シート５１の長さは、吸収性物品１の長さと略等しい。
【００２０】
トップシート２１は、バックシート２３の上側（すなわち、着用者側）に配置される。一対のサイドシート２４は、トップシート２１の幅方向（すなわち、図１中における左右方向）の両側に配置される。一対のサイドシート２４も、バックシート２３の上側に配置される。吸収体２２は、トップシート２１とバックシート２３との間に配置されるシート状部材である。図１では、図の理解を容易にするために、吸収体２２の輪郭を太い破線にて描く。
【００２１】
バックシート２３の幅方向の幅は、トップシート２１の幅方向の幅よりも大きい。このため、バックシート２３の幅方向の両側の側部２３１は、トップシート２１の幅方向の両側縁から幅方向の外側に延出する。各サイドシート２４の幅は、トップシート２１から延出するバックシート２３の側部２３１の幅よりも大きい。また、トップシート２１の幅は、吸収体２２の幅よりも大きい。
【００２２】
一対のサイドシート２４は、吸収性物品１の幅方向の両側において、バックシート２３の側部２３１の上面を覆いつつ、トップシート２１およびバックシート２３に固定される。具体的には、一対のサイドシート２４のそれぞれにおいて、幅方向の内側の側部である内側部２４１が、トップシート２１の側部２１１の上面（すなわち、着用者側の面）に固定される。また、一対のサイドシート２４のそれぞれにおいて、幅方向の外側の側部である外側部２４２は、トップシート２１の両側縁から幅方向の外側に延出するバックシート２３の側部２３１の上面（すなわち、着用者側の面）に固定される。
【００２３】
サイドシート２４とトップシート２１とは、融着により固定される。例えば、サイドシート２４とトップシート２１とは、加熱を伴うエンボス加工による圧着（すなわち、熱圧着）により固定される。当該エンボス加工が行われる際には、加熱ローラの複数の凸部をサイドシート２４の上面（すなわち、着用者側の面）に接触させることが好ましい。また、サイドシート２４とトップシート２１とは、超音波接合により融着されてもよい。当該超音波接合が行われる場合、超音波ホーンをサイドシート２４の上面に接触させることが好ましい。サイドシート２４とトップシート２１との間には、例えばホットメルト接着剤が介在していてもよい。以下の説明では、一対のサイドシート２４のそれぞれとトップシート２１とが融着される部位を「融着部２７」という。融着部２７は、上記以外の様々な方法により形成されてもよい。融着部２７の詳細については後述する。
【００２４】
サイドシート２４とバックシート２３とは、例えば、バックシート２３の上面にコーター塗工等により塗布された接着剤（図示省略）により固定される。サイドシート２４とバックシート２３との固定は、例えば、当該接着剤による接着に加えて（または、当該接着剤による接着に代えて）、熱圧着により実現されてもよい。
【００２５】
吸収性物品１の長手方向の両端部では、トップシート２１がバックシート２３の上面に固定される。トップシート２１とバックシート２３との固定は、サイドシート２４とバックシート２３との固定と同様に、例えば、バックシート２３の上面にコーター塗工等により塗布された接着剤により実現される。トップシート２１とバックシート２３との固定は、例えば、当該接着剤による接着に加えて（または、当該接着剤による接着に代えて）、熱圧着により実現されてもよい。
【００２６】
吸収性物品１では、一対のサイドシート２４の間において、トップシート２１と吸収体２２とが、例えばエンボス加工により互いに固定されてもよい。図１に示す例では、太い長破線にて示す略長円環状の部位にエンボス加工が施され、トップシート２１と吸収体２２とが互いに固定される。当該エンボス加工が施される部位の形状は、様々に変更されてよい。
【００２７】
トップシート２１は、透液性のシート部材である。トップシート２１は、着用者からの排泄物の水分を速やかに捕捉して吸収体２２へと移動させる。トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布、エアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００２８】
吸収体２２は、トップシート２１を透過した水分を吸収して保持する。吸収体２２は、例えば、粉砕したパルプ繊維またはセルロース繊維等の親水性繊維の集合体に、高吸収性材料を混合したものである。当該親水性繊維の集合体は、ティッシュペーパーまたは透液性不織布等により包まれてもよい。高吸収性材料としては、例えば、粒状の高吸収性ポリマー（ＳＡＰ（Super Absorbent Polymer））、または、繊維状の高吸収性ファイバー（ＳＡＦ（Super Absorbent Fiber））が利用される。吸収体２２としては、例えば、粒状の高吸収性ポリマーを２枚の透液性のシート部材の間に挟んで固定したものが利用されてもよい。
【００２９】
バックシート２３は、撥液性または不透液性のシート部材である。バックシート２３は、バックシート２３に到達した水分が吸収性物品１の外部にしみ出すことを防止する。バックシート２３としては、例えば、撥液性または不透液性の不織布やプラスチックフィルム、あるいは、これらの不織布とプラスチックフィルムとが積層された積層シートが利用される。バックシート２３に利用される不織布は、例えば、疎水性繊維にて形成されたスパンボンド不織布、メルトブロー不織布またはＳＭＳ（スパンボンド・メルトブロー・スパンボンド）不織布であり、必要に応じて撥液処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００３０】
一対のサイドシート２４はそれぞれ、例えば、撥液性または不透液性のシート部材である。サイドシート２４は、吸収性物品１の側部に到達した排泄物の水分等が、吸収性物品１の外部にしみ出すことを防止する。サイドシート２４としては、例えば、撥液性または不透液性の不織布が利用される。サイドシート２４に利用される不織布は、例えば、疎水性繊維にて形成されたエアスルー不織布、スパンボンド不織布、メルトブロー不織布またはＳＭＳ不織布であり、必要に応じて撥液処理が施される。
【００３１】
図２に示す例では、一対のサイドシート２４のそれぞれの内側部２４１は、１枚の不織布が内側部２４１の幅方向の内縁にて二つ折りにされた積層構造を有する。例えば、一対のサイドシート２４はそれぞれ、目付が２０ｇ／ｍ２以上のエアスルー不織布製である。これにより、着用者に接する内側部２４１が厚くなって柔軟性が向上するため、吸収性物品１の着用感を向上することができる。なお、サイドシート２４として、折り重ねられていない１枚の不織布が利用されてもよい。また、サイドシート２４として、透液性の不織布や不織布以外のシート部材が利用されてもよい。サイドシート２４の目付も様々に変更されてよい。
【００３２】
吸収性物品１では、一対のサイドシート２４と平面視にて重なる領域において、長手方向に延びる弾性部材は非存在である。図１および図２に示す例では、各サイドシート２４と上下方向に重なる弾性部材は設けられない。
【００３３】
図１に示すように、融着部２７は、前方融着部２７１と、中間融着部２７２と、後方融着部２７３とを備える。前方融着部２７１は、吸収性物品１の長手方向の前方部（すなわち、着用者の股下部の前側に接する部位）に位置する。後方融着部２７３は、吸収性物品１の長手方向の後方部（すなわち、着用者の股下部の後側に接する部位）に位置する。中間融着部２７２は、吸収性物品１の長手方向において、前方融着部２７１と後方融着部２７３との間に位置する。中間融着部２７２は、前方融着部２７１および後方融着部２７３と長手方向に実質的に連続する。前方融着部２７１、中間融着部２７２および後方融着部２７３において、トップシート２１には開口は形成されていない。トップシート２１では、例えば、一対のサイドシート２４の間において、比較的小さい複数の開口（例えば、ピンエンボス加工による複数の開口）が設けられてもよい。
【００３４】
中間融着部２７２は、幅方向において、前方融着部２７１および後方融着部２７３よりも外側に位置する。換言すれば、中間融着部２７２の幅方向の内縁は、前方融着部２７１の幅方向の内縁、および、後方融着部２７３の幅方向の内縁よりも、幅方向の外側に位置する。
【００３５】
各サイドシート２４では、内側部２４１の内縁と中間融着部２７２との間の部位は、トップシート２１に固定されていない非固定部である。また、上述のように、中間融着部２７２は、幅方向において、前方融着部２７１および後方融着部２７３よりも外側に位置するため、当該非固定部の前側および後側の部位は、トップシート２１に固定されている固定部である。着用者に着用された状態の吸収性物品１では、一対のサイドシート２４の非固定部が着用者に向かって起立する。これにより、一対の非固定部の間に排泄された排泄物の水分等が、一対の非固定部よりも幅方向の外側へと漏出することを抑制することができる。
【００３６】
また、各サイドシート２４では、内側部２４１の内縁と中間融着部２７２との間の部位（すなわち、非固定部）において、好ましくは、上述の積層構造のエアスルー不織布の２つの層が非接合である。これにより、非固定部が着用者に向かって起立しやすくなるため、排泄物の水分等が一対の非固定部よりも幅方向の外側へと漏出することを、より一層抑制することができる。さらに、着用者に接する非固定部の柔軟性が向上するため、吸収性物品１の着用感を向上することもできる。なお、上記２つの層は、必要に応じて互いに接合されてもよい。
【００３７】
上述のように、吸収性物品１では、一対のサイドシート２４と平面視にて重なる領域において、長手方向に延びる弾性部材は非存在である。このため、弾性部材が収縮して着用者の肌を圧迫することがない。その結果、吸収性物品１の着用感をさらに向上することができる。
【００３８】
中間融着部２７２は、長手方向に配列される複数の融着要素２７５を含む。以下の説明では、中間融着部２７２の融着要素２７５を「中間融着要素２７５」という。複数の中間融着要素２７５は、互いに離間して配置される。複数の中間融着要素２７５のそれぞれは、例えば幅方向に広がる。換言すれば、各中間融着要素２７５は、長手方向に平行に延びる直線とは異なる形状を有する。図１に示す例では、各中間融着要素２７５は、長手方向および幅方向の双方に対して傾斜する方向に延びる略矩形状である。
【００３９】
中間融着要素２７５の形状は略矩形状には限定されず、様々に変更されてよい。例えば、各中間融着要素２７５は、幅方向に広がるとともに長手方向に略平行に延びる矩形状であってもよい。あるいは、各中間融着要素２７５は、植物の葉または花等の形状を模した図形であってもよい。複数の中間融着要素２７５は、同形状であってもよく、複数種類の形状を有していてもよい。上述の中間融着部２７２の幅方向の内縁は、例えば、中間融着部２７２に含まれる複数の中間融着要素２７５の幅方向内端を結んだ線である。
【００４０】
中間融着部２７２の複数の中間融着要素２７５において、長手方向に隣接する２つの中間融着要素２７５の長手方向の端部同士は、幅方向に重なる。換言すれば、一の中間融着要素２７５の長手方向の端部は、長手方向に隣接する他の中間融着要素２７５の長手方向の端部の左側または右側に隣接して配置される。
【００４１】
前方融着部２７１は、長手方向に配列される複数の融着要素２７４を含む。後方融着部２７３も、長手方向に配列される複数の融着要素２７６を含む。以下の説明では、前方融着部２７１の融着要素２７４および後方融着部２７３の融着要素２７６をそれぞれ、「前方融着要素２７４」および「後方融着要素２７６」という。複数の前方融着要素２７４は、互いに離間して配置される。複数の後方融着要素２７６も、互いに離間して配置される。各前方融着要素２７４および各後方融着要素２７６は、例えば幅方向に広がる。図１に示す例では、各前方融着要素２７４および各後方融着要素２７６は、長手方向および幅方向の双方に対して傾斜する方向に延びる略矩形状である。
【００４２】
前方融着要素２７４および後方融着要素２７６の形状は略矩形状には限定されず、様々に変更されてよい。例えば、各前方融着要素２７４および各後方融着要素２７６は、幅方向に広がるとともに長手方向に略平行に延びる矩形状であってもよい。あるいは、各前方融着要素２７４および各後方融着要素２７６は、植物の葉または花等の形状を模した図形であってもよい。複数の前方融着要素２７４は、同形状であってもよく、複数種類の形状を有していてもよい。複数の後方融着要素２７６も、同形状であってもよく、複数種類の形状を有していてもよい。上述の前方融着部２７１の幅方向の内縁は、例えば、複数の前方融着要素２７４の幅方向内端を結んだ線である。また、上述の後方融着部２７３の幅方向の内縁は、例えば、複数の後方融着要素２７６の幅方向内端を結んだ線である。
【００４３】
前方融着部２７１の複数の前方融着要素２７４において、長手方向に隣接する２つの前方融着要素２７４の長手方向の端部同士は、幅方向に重なる。また、後方融着部２７３の複数の後方融着要素２７６においても、長手方向に隣接する２つの後方融着要素２７６の長手方向の端部同士は、幅方向に重なる。
【００４４】
図３は、サイドシート２４とトップシート２１との中間融着部２７２近傍を拡大して示す平面図である。図４は、サイドシート２４およびトップシート２１を図３中のＩＶ−ＩＶの位置にて長手方向に垂直な面で切断した断面図である。図４では、トップシート２１の構造の理解を容易とするために、トップシート２１の厚さを、サイドシート２４に比べて相対的に大きく描いている（後述する図６においても同様）。図４に示す例では、トップシート２１の厚さは、トップシート２１の全面に亘っておよそ一定である。
【００４５】
トップシート２１は、複数の高剥離強度領域２１３と、複数の低剥離強度領域２１４とを備える。図３および図４では、トップシート２１の複数の高剥離強度領域２１３に平行斜線を密に付し、複数の低剥離強度領域２１４に平行斜線を粗に付す。また、幅方向に隣接する高剥離強度領域２１３と低剥離強度領域２１４との境界を二点鎖線にて示す。後述する図５および図６においても同様である。
【００４６】
複数の高剥離強度領域２１３はそれぞれ、長手方向に延びる帯状領域である。複数の高剥離強度領域２１３は、幅方向に互いに離間して配置される。図３および図４に示す例では、複数の高剥離強度領域２１３の幅は略同じである。また、複数の高剥離強度領域２１３はそれぞれ、トップシート２１の略全長に亘って連続する。トップシート２１の複数の高剥離強度領域２１３はそれぞれ、中間融着部２７２における一対のサイドシート２４との単位面積あたりの剥離強度が比較的高い。
【００４７】
複数の低剥離強度領域２１４もそれぞれ、長手方向に延びる帯状領域である。複数の低剥離強度領域２１４は、複数の高剥離強度領域２１３と交互に幅方向に配列される。図３および図４に示す例では、複数の低剥離強度領域２１４の幅は略同じである。また、各低剥離強度領域２１４の幅は、各高剥離強度領域２１３の幅よりも小さい。複数の低剥離強度領域２１４はそれぞれ、トップシート２１の略全長に亘って連続する。複数の低剥離強度領域２１４ではそれぞれ、中間融着部２７２における一対のサイドシート２４との単位面積あたりの剥離強度が、複数の高剥離強度領域２１３のそれぞれの上記剥離強度よりも低い。
【００４８】
図３および図４に示すように、中間融着部２７２の幅方向の幅は、低剥離強度領域２１４の幅方向の幅よりも大きい。このため、中間融着部２７２は、幅方向に隣接する２つの高剥離強度領域２１３（具体的には、間に１つの低剥離強度領域２１４を挟んで幅方向に隣接する２つの高剥離強度領域２１３）に重なる。換言すれば、吸収性物品１の前方部と後方部との間に位置する中間部では、各サイドシート２４が、トップシート２１の隣接する２つの高剥離強度領域２１３に中間融着部２７２により融着される。これにより、中間融着部２７２において、サイドシート２４の内側部２４１とトップシート２１の側部２１１とを強固に固定することができる。その結果、一対のサイドシート２４とトップシート２１との剥離を抑制することができる。
【００４９】
吸収性物品１では、このように、サイドシート２４の内側部２４１とトップシート２１の側部２１１とを強固に固定することができるため、各サイドシート２４の内側部２４１が、目付が２０ｇ／ｍ２以上のエアスルー不織布を内側部２４１の幅方向の内縁にて二つ折りにした積層構造を有する場合であっても（すなわち、内側部２４１が比較的厚い場合であっても）、サイドシート２４とトップシート２１との剥離を好適に抑制することができる。
【００５０】
吸収性物品１では、好ましくは、中間融着部２７２が、幅方向に隣接する当該２つの高剥離強度領域２１３のそれぞれの幅方向中央と重なる。これにより、中間融着部２７２におけるサイドシート２４と高剥離強度領域２１３との融着面積を大きくすることができる。その結果、一対のサイドシート２４とトップシート２１との剥離を、より一層抑制することができる。図３および図４に示す例では、中間融着部２７２の各中間融着要素２７５が、幅方向に隣接する当該２つの高剥離強度領域２１３のそれぞれの幅方向中央と重なる。これにより、一対のサイドシート２４とトップシート２１との剥離を、さらに抑制することができる。
【００５１】
吸収性物品１では、高剥離強度領域２１３は、例えば、低剥離強度領域２１４よりも密度が高い（すなわち、単位体積あたりの重量が大きい）領域である。これにより、トップシート２１において、高剥離強度領域２１３と低剥離強度領域２１４とを容易に形成することができる。
【００５２】
上述のように、中間融着部２７２の複数の中間融着要素２７５において、長手方向に隣接する２つの中間融着要素２７５の長手方向の端部同士は、幅方向に重なる。すなわち、中間融着部２７２のうち、少なくとも中間融着要素２７５の長手方向の端部が位置する部位において、サイドシート２４は、幅方向の２ヶ所にてトップシート２１に固定される。これにより、一対のサイドシート２４をトップシート２１に強固に固定することができる。その結果、一対のサイドシート２４とトップシート２１との剥離を、さらに抑制することができる。
【００５３】
吸収性物品１では、トップシート２１の構造は上述の例には限定されず、様々に変更されてよい。図５は、他の好ましいトップシート２１ａについて、図３と同様に、サイドシート２４とトップシート２１ａとの中間融着部２７２近傍を拡大して示す平面図である。図６は、サイドシート２４およびトップシート２１ａを図５中のＶＩ−ＶＩの位置にて長手方向に垂直な面で切断した断面図である。
【００５４】
図６に示すように、トップシート２１ａの厚さは、図４に示すトップシート２１のように全面に亘っておよそ一定ではなく、部位によって異なる。具体的には、トップシート２１ａは、複数の凸部２１５と、複数の凹部２１６とを備える。複数の凸部２１５は、トップシート２１ａの上面において上方に突出する。複数の凹部２１６は、複数の凸部２１５よりも下方（すなわち、吸収性物品１の着用時に複数の凸部２１５よりも着用者から離れた位置）に位置する。
【００５５】
複数の凸部２１５はそれぞれ、長手方向に延びる帯状領域である。複数の凸部２１５は、幅方向に互いに離間して配置される。複数の凹部２１６もそれぞれ、長手方向に延びる帯状領域である。複数の凹部２１６は、複数の凸部２１５と交互に幅方向に配列される。図５および図６に示す例では、複数の凸部２１５および複数の凹部２１６はそれぞれ、トップシート２１ａの略全長に亘って連続する。
【００５６】
図５および図６に示す例では、複数の凸部２１５の幅は略同じであり、複数の凹部２１６の幅も略同じである。各凹部２１６の幅は、各凸部２１５の幅よりも小さい。各凹部２１６では、トップシート２１ａの厚さは、幅方向の全幅に亘っておよそ一定である。また、各凸部２１５におけるトップシート２１ａの厚さは、幅方向中央において最も大きく、当該幅方向中央から幅方向にて隣接する凹部２１６に向かうに従って漸次減少する。換言すれば、凸部２１５は、幅方向中央に位置する凸部中央部２１７と、凸部中央部２１７の幅方向両側に位置する２つの凸部側部２１８とを備える。凸部中央部２１７および凸部側部２１８は、長手方向に延びる帯状領域である。凸部側部２１８は、幅方向の一方側において凸部中央部２１７に連続し、幅方向の他方側において凹部２１６に連続する。
【００５７】
凸部側部２１８の密度は、凸部中央部２１７の密度よりも高い。すなわち、凸部側部２１８は、凸部中央部２１７よりも密度が高い凸部高密度部である。これにより、凸部側部２１８では、中間融着部２７２における一対のサイドシート２４との単位面積あたりの剥離強度が、凸部中央部２１７の上記剥離強度よりも高い。換言すれば、トップシート２１ａの凸部２１５では、凸部側部２１８（すなわち、凸部高密度部）が高剥離強度領域であり、凸部中央部２１７が低剥離強度領域である。
【００５８】
また、凹部２１６の密度は、凸部側部２１８の密度とおよそ同じである。ただし、トップシート２１ａの凹部２１６は、凸部２１５に比べて、トップシート２１ａとの融着前のサイドシート２４と上下方向に離れている。このため、凹部２１６では、中間融着部２７２における一対のサイドシート２４との単位面積あたりの剥離強度が、凸部側部２１８の上記剥離強度よりも低い。換言すれば、凹部２１６は、凸部中央部２１７と同様に、低剥離強度領域である。
【００５９】
以上に説明したように、トップシート２１ａは、トップシート２１（図３および図４参照）と同様に、幅方向に配列される複数の高剥離強度領域（すなわち、複数の凸部側部２１８）と、当該複数の高剥離強度領域と交互に幅方向に配列される複数の低剥離強度領域（すなわち、複数の凸部中央部２１７および複数の凹部２１６）とを備える。当該複数の高剥離強度領域および複数の低剥離強度領域はそれぞれ、長手方向に延びる帯状領域である。
【００６０】
吸収性物品１では、上記と同様に、一対のサイドシート２４のそれぞれとトップシート２１ａとの融着部２７が、長手方向の前方部に位置する前方融着部２７１（図１参照）と、長手方向の後方部に位置する後方融着部２７３（図１参照）と、長手方向において前方融着部２７１と後方融着部２７３との間に位置する中間融着部２７２とを備える。中間融着部２７２は、幅方向において前方融着部２７１および後方融着部２７３よりも外側に位置する（図１参照）。中間融着部２７２は、それぞれが幅方向に広がるとともに長手方向に配列される複数の中間融着要素２７５を含む。
【００６１】
図５および図６に示すように、中間融着部２７２の幅方向の幅は、上述の低剥離強度領域の幅方向の幅（すなわち、凸部中央部２１７の幅および凹部２１６の幅）よりも大きい。このため、中間融着部２７２は、幅方向に隣接する２つの高剥離強度領域（具体的には、間に１つの凹部２１６を挟んで幅方向に隣接する２つの凸部側部２１８）に重なる。これにより、上記と同様に、中間融着部２７２において、サイドシート２４の内側部２４１とトップシート２１ａの側部２１１とを強固に固定することができる。その結果、一対のサイドシート２４とトップシート２１ａとの剥離を抑制することができる。中間融着部２７２は、間に１つの凸部中央部２１７を挟んで幅方向に隣接する２つの凸部側部２１８に重なってもよい。この場合であっても、上記と同様に、一対のサイドシート２４とトップシート２１ａとの剥離を抑制することができる。
【００６２】
トップシート２１ａは、上面において上方に突出する複数の凸部２１５と、複数の凸部２１５の間に位置する凹部２１６とを備える。このため、着用者からの排泄物が、トップシート２１ａ上において凹部２１６を伝わって比較的迅速に拡散する。これにより、吸収性物品１の広い範囲にて排泄物の水分等を吸収および保持することができる。換言すれば、吸収性物品１を効率良く使用することができる。
【００６３】
また、トップシート２１ａでは、高剥離強度領域（すなわち、凸部側部２１８）が凸部２１５に含まれる。これにより、高剥離強度領域が凹部２１６に含まれる場合に比べて、サイドシート２４とトップシート２１ａの高剥離強度領域との融着を容易に実現することができる。
【００６４】
上述のように、凸部２１５は、幅方向中央に位置する凸部中央部２１７と、凸部中央部２１７の幅方向両側に位置するとともに凸部中央部２１７よりも密度が高い２つの凸部高密度部（すなわち、２つの凸部側部２１８）とを備える。そして、上記高剥離強度領域が、当該凸部高密度部である。これにより、トップシート２１ａにおいて、高剥離強度領域と低剥離強度領域とを容易に形成することができる。
【００６５】
上述の吸収性物品１では、様々な変更が可能である。
【００６６】
例えば、図３および図４に示すトップシート２１では、各低剥離強度領域２１４の幅は、各高剥離強度領域２１３の幅と略同じであってもよく、各高剥離強度領域２１３の幅よりも大きくてもよい。複数の高剥離強度領域２１３の幅は、互いに異なっていてもよい。また、複数の低剥離強度領域２１４の幅も、互いに異なっていてもよい。図５および図６に示すトップシート２１ａにおいても同様である。
【００６７】
図５および図６に示すトップシート２１ａでは、複数の凸部中央部２１７の間の部位（すなわち、凸部側部２１８および凹部２１６）の密度は凸部中央部２１７の密度よりも高いが、これらの部位の密度は様々に変更されてよい。例えば、凹部２１６の密度は、凸部側部２１８の密度よりも低くてもよく、凸部中央部２１７の密度以下であってもよい。
【００６８】
また、凸部２１５では、凸部中央部２１７の幅方向両側に凸部中央部２１７よりも密度が高い２つの凸部高密度部が設けられるのであれば、凸部側部２１８全体の密度が凸部中央部２１７の密度よりも高い必要はない。例えば、凸部側部２１８のうち、凸部中央部２１７に隣接する部位の密度は凸部中央部２１７の密度よりも高く、凹部２１６に隣接する部位の密度は凸部中央部２１７の密度以下であってもよい。
【００６９】
トップシート２１ａの上面の形状は、図６に示す例には限定されず、様々に変更されてよい。例えば、トップシート２１ａの長手方向に垂直な断面では、トップシート２１ａの上面は、幅方向に延びる略正弦曲線状であってもよい。この場合、当該略正弦曲線状の上面における複数の上端部近傍の部位が上述の複数の凸部２１５に相当し、複数の下端部近傍の部位が複数の凹部２１６に相当する。
【００７０】
図３および図４に示すトップシート２１では、高剥離強度領域２１３は、必ずしも低剥離強度領域２１４よりも密度が高い領域である必要はない。高剥離強度領域２１３と低剥離強度領域２１４との剥離強度の差は、例えば、密度以外の様々な構造差、または、水もしくは比熱が小さい油剤の塗工等により実現されてもよい。図５および図６に示すトップシート２１ａにおいても同様である。
【００７１】
中間融着部２７２では、各中間融着要素２７５は、必ずしも、幅方向に隣接する２つの高剥離強度領域２１３のそれぞれの幅方向中央と重なる必要はなく、例えば、一部の中間融着要素２７５のみが、幅方向に隣接する２つの高剥離強度領域２１３のそれぞれの幅方向中央と重なっていてもよい。また、中間融着部２７２は、幅方向に隣接する２つの高剥離強度領域２１３に重なるのであれば、必ずしも、当該２つの高剥離強度領域２１３のそれぞれの幅方向中央と重なる必要はない。
【００７２】
中間融着部２７２では、長手方向に隣接する２つの中間融着要素２７５の長手方向の端部同士は、必ずしも幅方向に重なる必要はなく、長手方向に離間してもよい。前方融着部２７１においても同様に、長手方向に隣接する２つの前方融着要素２７４の長手方向の端部同士は、長手方向に離間してもよい。後方融着部２７３においても同様に、長手方向に隣接する２つの後方融着要素２７６の長手方向の端部同士は、長手方向に離間してもよい。前方融着部２７１は、必ずしも複数の前方融着要素２７４を含む必要はなく、例えば、長手方向に沿って連続して延びる１つの帯状領域であってもよい。後方融着部２７３も同様に、必ずしも複数の後方融着要素２７６を含む必要はなく、例えば、長手方向に沿って連続して延びる１つの帯状領域であってもよい。
【００７３】
吸収性物品１では、一対のサイドシート２４と平面視にて重なる領域に、例えば長手方向に延びる弾性部材が設けられてもよい。この場合、当該弾性部材は、上述の非固定部に設けられることが好ましい。
【００７４】
吸収性物品１の平面視における形状は、様々に変更されてよい。例えば、吸収性物品１の平面視における形状は、長手方向の両端部の幅が長手方向の中央部の幅よりも大きい略砂時計状であってもよい。
【００７５】
吸収性物品１の構造は、軽失禁用パッド以外の様々な用途に利用される吸収性物品（例えば、生理用ナプキン）に採用されてよい。
【００７６】
上記実施の形態および各変形例における構成は、相互に矛盾しない限り適宜組み合わされてよい。
【符号の説明】
【００７７】
１    吸収性物品
２１，２１ａ    トップシート
２２    吸収体
２３    バックシート
２４    サイドシート
２７    融着部
２１１    （トップシートの）側部
２１３    高剥離強度領域
２１４    低剥離強度領域
２１５    （トップシートの）凸部
２１７    凸部中央部
２１８    凸部側部
２３１    （バックシートの）側部
２４１    （サイドシートの）内側部
２４２    （サイドシートの）外側部
２７１    前方融着部
２７２    中間融着部
２７３    後方融着部
２７５    中間融着要素
【図１】
0006757607.tif 000002
【図２】
0006757607.tif 000003
【図３】
0006757607.tif 000004
【図４】
0006757607.tif 000005
【図５】
0006757607.tif 000006
【図６】
0006757607.tif 000007